(57)【特許請求の範囲】
【請求項１】
建築物の外壁本体の出隅又は入隅に設けられる一対の外装パネルの端部を覆う長尺の外装パネル用役物であって、
前記外装パネル用役物は断面形状が対称軸に対して左右対称の一対の外装パネルの各端部を収納する一対の収納部から成り、
前記一対の収納部は、前記外壁本体に取付けられる内側材と、この内側材から平行に前記外装パネルの厚さと同じ幅で隔たる外側材と、平面視で、前記内側材の前記出隅又は入隅側の端部から前記内側材に対して直角に延びる第一の線分が形成されるように配置された第一の面と、この第一の面の先端から前記内側材と平行に前記収納部から突出する方向に延びる第二の線分が形成されるように配置された第二の面と、この第二の面の先端と前記外側材の前記出隅又は入隅側の端部とを結ぶ第三の線分が形成されるように配置された第三の面とが連結して形成されるとともに、
前記一対の第三の面は、前記外側材と結ばれる一端を前記対称軸近傍に位置し他端を前記第二の面の先端に亘って徐々に前記対称軸から離れる傾斜面であることを特徴とする外装パネル用役物。
【請求項２】
請求項１に記載の外装パネル用役物であって、前記一対の内側材の挟角は９０度に形成されることを特徴とする外装パネル用役物。
【請求項３】
請求項１又は請求項２に記載の外装パネル用役物であって、前記一対の第三の面の一端に、この一対の一端間の隙間を埋めるパッキンを備えることを特徴とする外装パネル用役物。
【発明の詳細な説明】
【技術分野】
【０００１】
本発明は、一対の外装パネルを挟持して外壁本体に設ける外装パネル用役物に関し、特に、出隅、入隅の外壁本体の角度に対応して角度調整できる外装パネル用役物の技術に関する。
【背景技術】
【０００２】
従来、建築物の外壁本体の出隅に取付ける一対の外装パネル用の外装パネル用役物として、例えば、特許文献１の記載が知られている。
【０００３】
特許文献１によれば、図７に示すように、外装パネル用役物１４はカバー部１５と保持部１６とベース部１７とからなり、カバー部１５の側端部は折り返されて鉤型の係止部１１１を形成し、保持部１６はこの係止部１１１と係合する係合片１２１を有するとともに嵌合用脚部１２２を有している。
【０００４】
このため、カバー部１５で外装パネル１８を覆うと、嵌合用脚部１２２が、外壁本体１３ａのコーナー部に固定されたベース部１７の嵌合用凸部１３１に内設される嵌合用爪部１３２と嵌合するので、一対の外装パネル１８間の隙間を覆うことができる。
【特許文献１】特開２００５−１７１６５６号公報
【発明の開示】
【発明が解決しようとする課題】
【０００５】
ところが、上記の外装パネル用役物１４は保持部１６の一対の係合片１２１の挟角が例えば９０度に固定で形成されるので、出隅角度が９０度以外の場合には一対の係合片１２１の挟角を無理に変えると外装パネル１８との間に隙間が生じたり、外装パネル１８に損傷が生じるという問題があった。また、上記の外装パネル用役物１４は、カバー部１５と保持部１６とベース部１７がそれぞれ別体で加工されるので製作コストが高いという問題があった。
【０００６】
そこで、本発明は、一対の外装パネル用の外装パネル用役物の挟角を調整して、出隅、入隅の角度に対応できる外装パネル用役物を提供することを目的とする。
【課題を解決するための手段】
【０００７】
請求項１の発明は、建築物の外壁本体の出隅又は入隅に設けられる一対の外装パネルの端部を覆う長尺の外装パネル用役物であって、前記外装パネル用役物は断面形状が対称軸に対して左右対称の一対の外装パネルの各端部を収納する一対の収納部から成り、前記一対の収納部は、前記外壁本体に取付けられる内側材と、この内側材から平行に前記外装パネルの厚さと同じ幅で隔たる外側材と、平面視で、前記内側材の前記出隅又は入隅側の端部から前記内側材に対して直角に延びる第一の線分が形成されるように配置された第一の面と、この第一の面の先端から前記内側材と平行に前記収納部から突出する方向に延びる第二の線分が形成されるように配置された第二の面と、この第二の面の先端と前記外側材の前記出隅又は入隅側の端部とを結ぶ第三の線分が形成されるように配置された第三の面とが連結して形成されるとともに、前記一対の第三の面は、前記外側材と結ばれる一端を前記対称軸近傍に位置し他端を前記第二の面の先端に亘って徐々に前記対称軸から離れる傾斜面であることを特徴としている。
【０００８】
請求項２の発明は、請求項１に記載の外装パネル用役物であって、前記一対の内側材の挟角は９０度に形成されることを特徴としている。
【０００９】
請求項３の発明は、請求項１又は請求項２に記載の外装パネル用役物であって、前記一対の第三の面の一端に、この一対の一端間の隙間を埋めるパッキンを備えることを特徴としている。
【発明の効果】
【００１０】
請求項１の発明によれば、外装パネル用役物の前記一対の収納部は、前記外壁本体に取付けられる内側材と、この内側材から平行に前記外装パネルの厚さと同じ幅で隔たる外側材と、前記内側材の一端に前記内側材と直角に設けられる第一の面と、この第一の面の先端から前記内側材と平行に前記収納部から突出する第二の面と、この第二の面の先端と前記外側材の一端を結ぶ第三の面とが連結して形成されるとともに、前記一対の第三の面は、前記外側材と結ばれる一端を前記対称軸近傍に位置し他端を前記第二の面の先端に亘って徐々に前記対称軸から離れる傾斜面であるので、前記一対の収納部の挟角は前記第三の面の傾斜面が前記対称軸に平行となるまでの角度領域において任意に変更して取付できる。
【００１１】
このため、前記外装パネル用役物の前記一対の収納部の挟角が現場における外壁本体の出隅又は入隅の実際の挟角に合わせて調整できるので、一種類の外装パネル用役物で出隅又は入隅のバラツキを吸収できて汎用性が広がる。
【００１２】
また、前記第一の面によって、外装パネルの挿入位置決めが確実且つ容易にできる。このため、外装パネルの無理な挿入が避けられるので、前記第三の面又は前記外側材の形状に影響が及ばないので外装パネル用役物の品質が保つことができる。
【００１３】
請求項２の発明によれば、請求項１に記載の外装パネル用役物であって、前記一対の内側材の挟角は９０度に形成されるので、一般的な建築物の外壁本体である挟角９０度の出隅又は入隅用に用いることができて、請求項１の発明の効果と同様に効果が得られる。
【００１４】
請求項３の発明によれば、請求項１又は請求項２に記載の外装パネル用役物であって、前記一対の第三の面の一端に、この一対の一端間の隙間を埋めるパッキンを備えるので雨水の侵入を防ぐことができるので、外装パネルの劣化をなくして防音性や保温性の低下を防ぐことができる。
【発明を実施するための最良の形態】
【００１５】
以下に、本発明の第１の実施形態を図１に基づいて説明する。
【００１６】
＜外装パネル用役物の構成＞
図１に示すように、本発明の外装パネル用役物２１は建築物の外壁本体２２の出隅に設けられる一対の外装パネル２３の端部２３ａを覆う長尺の外装パネル用役物２１である。外装パネル用役物２１の断面形状は対称軸Ｐに対して左右対称形で外装パネル２３の各端部２３ａを収納する一対の収納部２５からなる。
【００１７】
一対の収納部２５は、外壁本体２２に取付けられる内側材２６（長さＴ＝３７ｍｍ）と、この内側材２６から平行に隔たる外側材２７（長さＴ１＝２０ｍｍ）と、内側材２６の一端２６ａに内側材２６と直角に設けられる第一の面２８と、この第一の面２８の先端２８ａから内側材２６と平行に収納部２５から突出する方向に延びる第二の面３０と、この第二の面３０の先端３０ａと外側材２７の一端２７ａを結ぶ第三の面３１とが連結して形成される。
【００１８】
一対の外側材２７の一端２７ａは隙間Ｗ１＝５ｍｍで隔てた位置である。外側材２７の他端２７ｂには外側材２７を折返して折返部５４が形成される。
【００１９】
ここで、一対の第三の面３１は、その両端がそれぞれ外側材２７の一端２７ａと第二の面３０の先端３０ａに一致しており、一端２７ａを対称軸Ｐ近傍に位置するとともに先端３０ａに亘って徐々に対称軸Ｐから離れるように形成された傾斜面（角度α）である。一対の第三の面３１の一端２７ａ近傍に隙間を埋めるため、断面が略半円状のパッキン３２がそれぞれ設けられる。
【００２０】
内側材２６の略中央部に内側材２６と連続的に内部側に突出する凸状３３が形成され、内側材２６の他端２６ｂには内側材２６と平行に収納部２５の内部側に長さＴ４＝５ｍｍで折返す折返部２９が形成される。一対の内側材２６の挟角は９０度に形成される。
【００２１】
このため、内側材２６と外側材２７間の隙間Ｈ１＝２３ｍｍから折返部２９（又は凸状３３）と折返部５４との高さを除いた隙間Ｈは、上記外装パネル２３の厚さＨ＝２１ｍｍと同じでありＨ＝２１ｍｍとなる。凸状３３は、万一雨水等が目地部より流入しても、雨水が外装パネル２３の端部２３ａに侵入するのを防止するためのものである。内側材２６は図示しないビス等を介して外壁本体２２に取付けられる。
【００２２】
外装パネル２３は断熱性、遮音性等を目的として、内部の断熱材を両側から薄肉の金属板で被覆してなる金属サイディングが用いられる。
【００２３】
複数の外装パネル２３は外壁本体２２の下から上に向かって横張り、又は左右方向の縦張りで組付けられる。また、図示しない胴縁を介して取付けることもある。外装パネル用役物２１は取付時に図示しないシール材を用いて防水対策が講じられる。
【００２４】
外装パネル用役物２１は板厚０．３５ｍｍの薄厚鋼板の両表面にアルミ・亜鉛合金メッキを施し、さらに、カバー材３３に対しては表面側となる面にフッ素樹脂塗装、裏面側にポリエステル樹脂塗装が施されて板金加工により連続して一体形成される。
【００２５】
＜外装パネル用役物の作用＞
一対の内側材２６は互いの挟角を９０度に形成され、一対の第三の面３１が先端３０ａを第二の面３０の先端３０ａに亘って徐々に対称軸Ｐから離れる傾斜面であるので、一対の収納部２５の挟角は第三の面３１の傾斜面（角度α）が対称軸Ｐに平行に至るまでの角度領域において任意に角度調整できる。
【００２６】
このため、外装パネル用役物２１の一対の収納部の挟角を外壁本体の出隅又は入隅の現場における実際の挟角に合わせて調整できるので、一種類の外装パネル用役物で出隅又は入隅のバラツキが吸収できるので汎用性が広がる。
【００２７】
第一の面２８によって、外装パネル２３の挿入位置決めが確実且つ容易にできるので、第三の面３１又は外側材２７の形状に影響が及ばないので外装パネル用役物２１の品質が保つことができる。
【００２８】
一対の第三の面３１の一端２７ａに、この一対の一端間の隙間を埋めるパッキン３２を備えるので雨水の侵入を防ぐことができて外装パネルの劣化を防止し防音性や保温性の低下を防ぐことができる。
【００２９】
＜第２の実施形態＞
本発明の第２の実施形態を図２、図３、図４を用いて説明するが、図１に示す外装パネル用役物２１の構成と同構成部分については、図面に同符号を付して重複した説明を省略する。
【００３０】
図２に示すように、外装パネル用役物２１ａは建物の入隅部に用いられ一対の外側材２７を覆う左右対称形のカバー材５０が設けられる。カバー材５０は外側材２７に沿ってその一端５０ａをそれぞれ一対の外側材２７の他端２７ｂに係止し、他端５０ｂは外側材２７の一端２７ａの近傍において対称軸Ｐに直角な面５０ｃによって互いが連結される。
【００３１】
より詳しくは、カバー材５０の一端５０ａをＵ字状に形成する。外側材２７の他端２７ｂは外装パネル２３との間に隙間５５を形成するように外側材２７を折返して折返部５４ａを形成する。カバー材５０はＵ字状の一端５０ａを隙間５５に挿入することで固着される。
【００３２】
図３、図４に示すようにカバー材５０の面５０ｃには、上下方向に複数の楔状の切欠き５１が打ち抜きによって形成される。打ち抜かれた切欠き５１は一対の三角形状の側面５１ａの上方向に三角形状の孔５１ｂを備えている。
【００３３】
このカバー材５０によって入隅部の外観が良くなるので品質性が向上する。
【００３４】
さらに、切欠き５１によって雨は矢印Ｑ１で示すように下降するので雨が内部に侵入することを防止できる。また、空気は上昇して孔５１ｂから内部に侵入することができる。
【００３５】
このため、入隅部の通気性が確保できるので、結露による外装パネルへの影響を少しでも防止できるので外装パネルの劣化が防止できて防音性や保温性の低下を防ぐことができる。より詳しくは、入隅部の広範囲における結露防止を実施する場合には、通気領域を広げるためにパッキン３２は必要に応じて取り外して使用される。
【００３６】
＜第３の実施形態＞
本発明の第３の実施形態を図５を用いて説明するが、図１に示す外装パネル用役物２１、２１ａの構成と同構成部分については、図面に同符号を付して重複した説明を省略する。
【００３７】
図５に示すように、外装パネル用役物２１ｂの外側材２７の他端２７ｂをＵ字状に形成し、このＵ字状にカバー材５０の端部５０ｄを挿入することでカバー材５０が固着される。
【００３８】
＜第４の実施形態＞
本発明の第４の実施形態を図６を用いて説明するが、図１に示す外装パネル用役物２１の構成と同構成部分については、図面に同符号を付して重複した説明を省略する。
【００３９】
図６に示すように、外装パネル用役物２１ｂは建物の出隅部に用いられる外装パネル用役物２１ｂで、一対の内側材２６の挟角θ＝直角に形成される。外側材２７の長さＳ２＝５５ｍｍ、内側材２６の長さＴ＝４２ｍｍ、外側材２７の一端２７ａから内側材２６の他端２６ｂまでの平行方向の長さＳ４＝７２ｍｍである。第三の面３１の傾斜角度βである。第三の面３１の傾斜面（角度β）が対称軸Ｐに平行に至るまでの角度領域において任意に角度調整できる。
【００４０】
以上、本発明の実施形態を図面に基づいて説明したが、上記の実施例はいずれも本発明の一例を示したものであり、本発明はこれらに限定されるべきでないということは言うまでもない。
【００４１】
外装パネル用役物は外装パネル端部が上下、左右どちらの方向であっても使用できる外装パネル用役物の各寸法を調整することで、厚さＨ＝２１ｍｍ以外の金属サイディングにも用いることができる。
【図面の簡単な説明】
【００４２】
【図１】本発明の第１の実施形態における、建築物の入隅に設けられる一対の外装パネル２３の端部２３ａを覆う長尺の外装パネル用役物２１の断面図である。
【図２】本発明の第２の実施形態における、建築物の入隅に設けられる、カバー材５０を備える長尺の外装パネル用役物２１ａの断面図である。
【図３】本発明の第２の実施形態における、図２のＡ−Ａ断面図である。
【図４】本発明の第２の実施形態における、図２のＢ−Ｂ矢視図である。
【図５】本発明の第３の実施形態における、建築物の入隅に設けられる、カバー材５０を備える長尺の外装パネル用役物２１ａの断面図である。
【図６】本発明の第４の実施形態における、建築物の出隅に設けられる長尺の外装パネル用役物２１ｂの断面図である。
【図７】従来の、カバー部１５と保持部１６とベース部１７とからなる外装パネル用役物１４の断面図である。
【符号の説明】
【００４３】
２１  外装パネル用役物
２２  外壁本体
２３  外装パネル
２３ａ  端部
２５  収納部
２６  内側材
２６ａ  一端
２７  外側材
２７ａ  一端
２８  第一の面
２８ａ  先端
２９  第二の面
２９ａ  先端
３０  第三の面
Ｐ  対称軸
【図１】
0004677946.tif 000002
【図２】
0004677946.tif 000003
【図３】
0004677946.tif 000004
【図４】
0004677946.tif 000005
【図５】
0004677946.tif 000006
【図６】
0004677946.tif 000007
【図７】
0004677946.tif 000008